(57)【要約】【課題】治療時間を短縮すると共に患部の正確な位置に治療剤を投与でき、治療を行う際の医者と患者の負担を小さくし得る歯科用シリンジを提供する。【解決手段】治療剤Ｔを封入する中空部１を有するシリンダ部２と、シリンダ部２の先端側に設けられると共に治療剤Ｔが先端から射出されるカニューレ部３と、を備える。カニューレ部３の外周面には、軸心方向へ所定ピッチをもって複数の歯周ポケット深さ計測用目印部４が設けられている。【選択図】図１
0003124215.tif 000002
【実用新案登録請求の範囲】
【請求項１】
治療剤（Ｔ）を封入する中空部（１）を有するシリンダ部（２）と、該シリンダ部（２）の先端側に設けられると共に該治療剤（Ｔ）が先端から射出されるカニューレ部（３）と、を備えた歯科用シリンジに於て、
上記カニューレ部（３）の外周面に、軸心方向へ所定ピッチをもって複数の歯周ポケット深さ計測用目印部（４）を設けたことを特徴とする歯科用シリンジ。
【請求項２】
治療剤（Ｔ）を封入する中空部（１）を有するシリンダ部（２）と、該シリンダ部（２）の先端側に設けられると共に該治療剤（Ｔ）が先端から射出されるカニューレ部（３）と、を備えた歯科用シリンジに於て、
上記カニューレ部（３）の外周面に、軸心方向へ所定ピッチをもって複数の感染根管処置時の根管深さ計測用目印部（４）を設けたことを特徴とする歯科用シリンジ。
【請求項３】
上記目印部（４）は、軸心方向へ順次色が異なるように設けられている請求項１又は２記載の歯科用シリンジ。
【請求項４】
上記カニューレ部（３）は、透明乃至半透明の樹脂製である請求項１，２又は３記載の歯科用シリンジ。
【請求項５】
上記目印部（４）は、上記治療剤（Ｔ）の色の補色乃至補色類似色をもって設けられている請求項４記載の歯科用シリンジ。
【考案の詳細な説明】
【技術分野】
【０００１】
本考案は、歯科用シリンジに関する。
【背景技術】
【０００２】
従来、歯周病の治療を行うには、まず、プローブにて歯周ポケットの深さを計測して歯周病の進行の具合を判断し、その後に歯科用シリンジを用いて、患部に治療剤を投与するようにしている。
従来の歯科用シリンジは、治療剤を投与するという目的のみに用いられるのみであり、このような目的に使用される歯科用シリンジは、従来より、種々の構造のものが提案されている（例えば、特許文献１参照）。
特許文献１には、治療剤を封入する中空部を有するシリンダ部と、シリンダ部の先端側に設けられるカニューレ部と、中空部内にプランジャ軸を挿入して封入された治療剤をカニューレ部から射出させるプランジャ部と、からなり、シリンダ部の中空部の内腔径を、治療剤の封入範囲でプランジャ軸の先端側押し出し部分の径にほぼ等しく、治療剤の封入範囲よりもプランジャ軸の挿入口側でプランジャ軸の先端押し出し部分の径よりも大径としたものが開示されている。
【特許文献１】実開平７−３１０１１号公報
【考案の開示】
【考案が解決しようとする課題】
【０００３】
しかしながら、従来、プローブにて歯周ポケットの深さを計測する作業と、特許文献１のような歯科用シリンジを用いて患部へ治療剤を投与する作業とは独立した作業であったので、医者はその作業が煩雑であり、また、患者は治療時間が長くかかってストレスが溜まる要因となっていた。
また、折角プローブにて正確な深さを計測したにもかかわらず、後に歯科用シリンジにて治療剤を患部へ投与する際には、カニューレ部の先端が患部にどのくらい近づいているのか正確に判断できず、患部へ正確に治療剤を投与できないという問題点があった。
また、カニューレ部の先端が患部にどのくらい近づいているのか正確に判断できないので、カニューレ部の先端にて患部に強い刺激を何回も与えてしまうこともあり、医者は緊張を強いられ、患者にはストレスを与えるという問題点があった。
そこで、本考案は、治療時間を短縮すると共に患部の正確な位置に治療剤を投与でき、治療を行う際の医者と患者の負担を小さくし得る歯科用シリンジを提供することを目的とする。
【課題を解決するための手段】
【０００４】
上記の目的を達成するために、本考案に係る歯科用シリンジは、治療剤を封入する中空部を有するシリンダ部と、該シリンダ部の先端側に設けられると共に該治療剤が先端から射出されるカニューレ部と、を備えた歯科用シリンジに於て、上記カニューレ部の外周面に、軸心方向へ所定ピッチをもって複数の歯周ポケット深さ計測用目印部を設けたものである。
また、治療剤を封入する中空部を有するシリンダ部と、該シリンダ部の先端側に設けられると共に該治療剤が先端から射出されるカニューレ部と、を備えた歯科用シリンジに於て、上記カニューレ部の外周面に、軸心方向へ所定ピッチをもって複数の感染根管処置時の根管深さ計測用目印部を設けたものである。
また、上記目印部は、軸心方向へ順次色が異なるように設けられている。
また、上記カニューレ部は、透明乃至半透明の樹脂製である。
また、上記目印部は、上記治療剤の色の補色乃至補色類似色をもって設けられている。
【考案の効果】
【０００５】
本考案は、次のような著大な効果を奏する。
本考案に係る歯科用シリンジは、従来別々の作業であった、歯周病治療時の歯周ポケットの深さを計測する作業と治療剤の投与とを同時に行い得る。これにより、従来と比較して歯周病治療の治療時間を短縮して、医者と患者の負担を軽減できる。即ち、医者にとっては作業が楽になり、患者にはストレスを与えないようにでき、歯周ポケットの深さを計測する作業（プロービングシリンジとしての使用）と治療剤の投与とを同時に行うことの相乗効果が期待できる。
また、歯周ポケットの深さを計測しつつ治療剤の投与を行うことにより、治療剤を患部の正確な位置に投与することができる。
また、感染根管処置において治療剤を根管の先の病巣に投与するためにカニューレ部を根管に挿入した際、目印部にて、どのくらいの根管深さまでカニューレ部を挿入したかを確認しつつ、治療剤の投与を行い得る。これにより、治療剤を患部の正確な位置に投与し得るので、従来と比較して治療時間を短縮して医者と患者の負担を小さくし得る。  
また、目印部は、軸心方向へ順次色が異なるように設けられているので、迅速な作業ができると共に、読み取りミスもなくすことができる。
【考案を実施するための最良の形態】
【０００６】
以下、実施の形態を示す図面に基づき、本考案を詳説する。
図１及び図２に於て、本考案の第１実施形態に係る歯科用シリンジは、治療剤Ｔを封入する中空部１を有するシリンダ部２と、シリンダ部２の先端側に設けられると共に治療剤Ｔが先端から射出されるカニューレ部３と、プランジャ部５と、を備えている。
使用される治療剤Ｔとしては、例えば、ペリオクリン（サンスター株式会社の登録商標），ペリオフィール（昭和薬品化工株式会社の登録商標）等の軟膏や、消毒液等が考えられる。
シリンダ部２は、半透明な樹脂製であり、基端部に指掛け外鍔部６を有している。
プランジャ部５は、樹脂製であり、治療剤をカニューレ部３から射出させるようになっている。このプランジャ部５は、シリンダ部２の中空部１に挿入される軸部７と、軸部７の基端部に連設された指当て部８と、を有している。軸部７の先端部には、ゴム製のシール部９が取り付けられている。
【０００７】
カニューレ部３は、半透明な樹脂製であり、シリンダ部２と一体的に形成されている。カニューレ部３の基端部は、シリンダ部２の軸心方向となっているが、先端側がシリンダ部２の軸心方向に対して曲がった形状となっている。これにより、患者の口腔内での作業を容易に行い得るようになっている。
ここで、第１実施形態では、カニューレ部３の外周面に、軸心方向へ所定ピッチをもって複数の円周状歯周ポケット深さ計測用目印部４…（図例では４つ）が設けられている。
円周状の各目印部４は、カニューレ部３の外周面に塗装することによって形成されている（つまり、目印部４は塗装膜にて形成されている）。目印部４…は、例えばカニューレ部３の先端から１mmや２mmのピッチをもって設けられている。
また、目印部４…は、治療剤Ｔの色の補色乃至補色類似色をもって設けられている。詳しく説明すると、例えば、治療剤Ｔとしてペリオフィールを使用する場合、ペリオフィールの色は薄い黄色なので、目印部４…の色は、黄色の補色の紫色や、紫色の類似色である赤色や青色にて色分けされる。
また、第１実施形態では、目印部４…は、軸心方向へ順次色が異なるように設けられている。具体的には、目印部４…は、例えば、先端側から順次、紫色（４ａ）→青色（４ｂ）→赤色（４ｃ）→紫色（４ｄ）となるように設けられる。
【０００８】
次に、図３を参照して、本考案の第１実施形態に係る歯科用シリンジの使用方法を説明する。
まず、シリンダ部２の中空部１に治療剤Ｔが封入された歯科用シリンジのカニューレ部３を患者の歯肉ａの上面側から所定の歯ｂの歯周ポケットＰに挿入し、歯ｂの周囲のうち、所定ポイント（例えば６点）における歯周ポケットＰの深さを計測していく。
ここで、歯周ポケットＰの深さが例えば４mm以上となっている場所を発見できれば、そこでプランジャ部５を押して、治療剤Ｔを患部に投与する。この際、カニューレ部３は半透明であり、かつ、目印部４…は、治療剤Ｔの色の補色乃至補色類似色をもって設けられているので、治療剤Ｔがカニューレ部３をどのくらいのスピードで押し出されていっているのかが容易に判別できる。
このようにして、歯周ポケットＰの深さを測定する作業と治療剤Ｔとの投与とを同時に行うことができるようになっている。
【０００９】
次に、図４に於て、本考案の第２実施形態に係る歯科用シリンジの要部拡大図を示す。  第２実施形態に係る歯科用シリンジでは、第１実施形態と異なり、カニューレ部３がシリンダ部２に対して着脱自在に構成されている場合を例示している。
即ち、第２実施形態のカニューレ部３は、基端部に雌ねじ部10を有し、シリンダ部２は、先端部に雄ねじ部11を有している。そして、これら雌ねじ部10と雄ねじ部11とを螺合させることによって、カニューレ部３とシリンダ部２とが接続されるようになっている。
このように構成することにより、シリンダ部２を同一として、患者毎にカニューレ部３のみを替えて治療を行うことができる。つまり、歯科用シリンジ全体を患者毎に取り替える必要がないので、経済的である。また、例えば、歯周ポケットＰの深さの計測途中で計測の精度を上げたい場合に、目印部４…が２mm毎に設けられていたカニューレ部３を、目
印部４が１mm毎に設けられたカニューレ部３に、容易に変更することができる。
他の構造は、第１実施形態と同様である。
【００１０】
次に、図５に於て、本考案の第３の実施形態に係る歯科用シリンジを示す。
第３実施形態に係る歯科用シリンジでは、第１実施形態と目印部４の設け方が異なる場合を例示している。
即ち、第３実施形態では、カニューレ部３の外周面に、軸心方向へ所定ピッチをもって複数の円周状溝部を形成し、各溝部ごとに塗装を行うことによって、目印部４が形成されている。このように構成することにより、目印部４の位置をより明確に把握することができると共に、カニューレ部３を歯周ポケットＰに対して出し入れしているうちに目印部４の塗装膜がはがれるのを防ぐことができる。
その他の構造は、第１実施形態と同様である。
【００１１】
次に、図６に於て、本考案の第４の実施形態に係る歯科用シリンジを示す。  
第４実施形態では、上述の第３実施形態と異なり、カニューレ部３の外周面に、軸心方向へ所定ピッチをもって複数の円周状凹溝部のみを形成し、この円周状凹溝部を目印部４…とした場合を例示している。
その他の構造は、第１実施形態と同様である。
【００１２】
次に、図７に於て、本考案の第５の実施形態に係る歯科用シリンジを示す。
第５実施形態では、第１実施形態と異なり、カニューレ部３の外周面に、軸心方向へ所定ピッチをもって複数の円周状突条部を形成し、この円周状突条部を目印部４…とした場合を例示している。
その他の構造は、第１実施形態と同様である。
【００１３】
次に、図８に於て、本考案の第６の実施形態に係る歯科用シリンジを示す。第６実施形態に係る歯科用シリンジでは、第１実施形態のように歯科用シリンジを歯周ポケット内の患部に治療剤Ｔを投与する際に使用するのではなく、感染根管処置の際に使用する場合を例示している。
ここで、一般的に、感染根管処置とは、抜髄しなければならないような、大きな虫歯を放置したり、抜髄処置を最後まで治療せずに放置した場合に起こる、化膿性根尖性歯周組織炎を治療する処置であり、この治療においては、根管内の感染物をリーマーにより除去し、その後、歯科用シリンジによって治療剤を根管の先の病巣に投与して治療を行うようになっている。そこで、この歯科用シリンジとして、本考案の第６の実施形態に係る歯科用シリンジを使用する。
【００１４】
具体的に第６実施形態に係る歯科用シリンジの構造を説明すると、この歯科用シリンジでは、カニューレ部３の外周面に、軸心方向へ所定ピッチをもって複数の感染根管処置時の根管深さ計測用目印部４…が設けられている。
第６実施形態の目印部４…は、第１実施形態と異なり、所定の先端挿入概略寸法Ｌ分だけカニューレ部３の先端から離れた位置よりも、さらに基端側に設けられている。先端挿入概略寸法Ｌとは、感染根管処置時にカニューレ部３の先端が歯ｂの上面から根管ｃ内へ必ず挿入されるであろうという寸法である。つまり、感染根管処置においては根管ｃの先の病巣ｄの治療を行うためカニューレ部３は根管ｃに深く挿入されるので、カニューレ部３の先端近傍に目印部４があっても、それが読まれることがない。そこで、そのような部分の寸法を、先端挿入概略寸法Ｌとしているのである。先端挿入概略寸法Ｌは、例えば４mmとされている。
なお、第６実施形態の治療剤Ｔは、第１実施形態で例示した歯周病用のペリオクリン（登録商標）やペリオフィール（登録商標）と異なり、感染根管処置用のものが使用される。例えば、ホルマリン系薬剤，フェノール系薬剤，ヨード系薬剤等が用いられる。
その他の構造は第１実施形態と同様である。
上述のように構成することによって、第６実施形態の歯科用シリンジは、治療剤Ｔを根管ｃの先の病巣ｄに投与するためにカニューレ部３を根管ｃに挿入した際、目印部４にて、どのくらいの根管深さまでカニューレ部３を挿入したかを容易に確認できるようになっている。
【００１５】
なお、本考案は上述の実施の形態に限定されず、本考案の要旨を逸脱しない範囲で設計変更可能である。例えば、第１実施形態では、目印部４…を、治療剤Ｔの色の補色乃至補色類似色をもって設ける場合を例示したが、本考案はこれに限らず、目印部、を口腔内の色の補色で塗り分けるのも好ましい。このように構成すれば、歯周ポケットに入っているカニューレ部と歯肉との境をよりはっきりと確認できるので、読み取りミスを少なくできる。
また、本実施形態では、カニューレ部３及びシリンダ部２は、半透明な樹脂製であったが、これらが透明な樹脂製であるのも好ましい。
なお、第１実施形態では、プローブを用いないような記載をしていたが、予めプローブを使って、歯周ポケットの深さを計測し、その後に本考案に係る歯科用シリンジを用いてもよい。このようにすれば、より確実な治療を行うことができる。
【００１６】
以上のように、本考案に係る歯科用シリンジは、治療剤Ｔを封入する中空部１を有するシリンダ部２と、シリンダ部２の先端側に設けられると共に治療剤Ｔが先端から射出されるカニューレ部３と、を備えた歯科用シリンジに於て、カニューレ部３の外周面に、軸心方向へ所定ピッチをもって複数の歯周ポケット深さ計測用目印部４…を設けたので、従来別々の作業であった、歯周病治療時の歯周ポケットＰの深さを計測する作業と治療剤Ｔの投与とを同時に行い得る。これにより、従来と比較して歯周病治療の治療時間を短縮して、医者と患者の負担を軽減できる。即ち、医者にとっては作業が楽になり、患者にはストレスを与えないようにでき、歯周ポケットＰの深さを計測する作業と治療剤Ｔの投与とを同時に行うことの相乗効果が期待できる。
また、歯周ポケットＰの深さを計測しつつ治療剤Ｔの投与を行うことにより、治療剤Ｔを患部の正確な位置に投与し得る。
【００１７】
また、治療剤Ｔを封入する中空部１を有するシリンダ部２と、シリンダ部２の先端側に設けられると共に治療剤Ｔが先端から射出されるカニューレ部３と、を備えた歯科用シリンジに於て、カニューレ部３の外周面に、軸心方向へ所定ピッチをもって複数の感染根管処置時の根管深さ計測用目印部４…を設けたので、感染根管処置において治療剤Ｔを根管ｃの先の病巣ｄに投与するためにカニューレ部３を根管ｃに挿入した際、目印部４にて、どのくらいの根管深さまでカニューレ部３を挿入したかを確認しつつ、治療剤Ｔの投与を行い得る。これにより、治療剤Ｔを患部の正確な位置に投与し得るので、従来と比較して治療時間を短縮して医者と患者の負担を小さくし得る。
【００１８】
また、目印部４は、軸心方向へ順次色が異なるように設けられているので、医者は、カニューレ部３の先端から何個目の目印部４であるかをいちいち数えたりすることなく、目印部４の色にてどのくらいの深さがあるかを直感的に判別することができる。これにより、迅速な作業ができると共に、読み取りミスもなくすことができる。
【００１９】
また、カニューレ部３は、透明乃至半透明の樹脂製であるので、シリンダ部２の中空部１に封入された治療剤Ｔがカニューレ部３を通る様子を容易に確認できる。また、治療剤Ｔがカニューレ部３を通る際、各目印部４を治療剤Ｔが通過していくことにより、治療剤Ｔがカニューレ部３をどのくらいのスピードで押し出されていっているのかがわかりやすくなり、所定量の治療剤Ｔを確実に投与できる。
また、カニューレ部３は樹脂製であるので、軽くて扱いやすい。また、ある程度弾性を有することによって、患者の患部への刺激を低減することができる。
【００２０】
また、目印部４は、治療剤Ｔの色の補色乃至補色類似色をもって設けられているので、シリンダ部２の中空部１に封入された治療剤Ｔがカニューレ部３を通る際、カニューレ部３に設けられた目印部４の位置を治療剤Ｔが通過するのをより明確に確認できる。これにより、治療剤Ｔがカニューレ部３をどのくらいのスピードで押し出されていっているのかがよりわかりやすくなり、所定量の治療剤Ｔをより確実に投与できる。
【図面の簡単な説明】
【００２１】
【図１】本考案の第１実施形態に係る歯科用シリンジを示す一部破断正面図である。
【図２】カニューレ部の先端部分を示す半截図である。
【図３】第１実施形態に係る歯科用シリンジの使用状態を示す説明図である。
【図４】本考案の第２実施形態に係る歯科用シリンジを示す要部拡大図である。
【図５】本考案の第３実施形態に係る歯科用シリンジのカニューレ部を示す半截図である。
【図６】本考案の第４実施形態に係る歯科用シリンジのカニューレ部を示す半截図である。
【図７】本考案の第５実施形態に係る歯科用シリンジのカニューレ部を示す半截図である。
【図８】本考案の第６実施形態に係る歯科用シリンジの使用状態を示す説明図である。
【符号の説明】
【００２２】
１  中空部
２  シリンダ部
３  カニューレ部
４  目印部
Ｔ  治療剤
【図１】
0003124215.tif 000003
【図２】
0003124215.tif 000004
【図３】
0003124215.tif 000005
【図４】
0003124215.tif 000006
【図５】
0003124215.tif 000007
【図６】
0003124215.tif 000008
【図７】
0003124215.tif 000009
【図８】
0003124215.tif 000010